(57)【要約】【課題】固形せっけんと保持台との結合力を大きく、その結合箇所に水分が侵入し難くし、保持台を把持して固形せっけんを使用し続けても両者が分離し難く、不使用時に固形せっけんを上にし保持台を下にして置くことにより、固形せっけんの水切れを良く形崩れし難くする。【解決手段】固形せっけん９を載置する保持台２に、その保持台２の載置面３に臨む多数の開口を有する凹所４又は溝を分散配設し、その保持台２に液状のせっけん素地から固化して固形せっけん９を固着する際に、その固形せっけん９の固着面を保持台２の載置面３に固着し、更に固形せっけん９の固着面に保持台２の各凹所４又は溝に対応する各突起１０又は突条を形成して、その各突起１０又は突条を対応する凹所４又は溝内に固着する。【選択図】  図１
2007289530.tif 000002
【特許請求の範囲】
【請求項１】
固形せっけんと、その固形せっけんを載置する保持台とを一体に結合した保持台付き固形せっけんであって、上記保持台に、その保持台の載置面に臨む多数の開口を有する凹所又は溝を分散配設し、その保持台に液状のせっけん素地から固化して固形せっけんを固着する際、その固形せっけんの固着面を保持台の載置面に固着し、更に固形せっけんの固着面に保持台の各凹所又は溝に対応する各突起又は突条を形成して、その各突起又は突条を対応する凹所又は溝内に固着することを特徴とする保持台付き固形せっけん。
【請求項２】
周囲側壁部材と底壁部材とを結合・分離可能な結合手段を用いて結合し、上開口を有する成形型を組み立て、その成形型の底に保持台を収容し、又は成形型の底壁部材として保持台を用い、その成形型内に上開口を通じて液状のせっけん素地を流し込み、そのせっけん素地の固化後に成形型全体又は周囲側壁部材を取り除くことを特徴とする請求項１記載の保持台付き固形せっけんの製造方法。
【請求項３】
周囲側壁部材と底壁部材とを結合・分離可能な結合手段を用いて結合し、上開口を有する成形型を組み立て、その成形型の底に保持台を収容し、又は成形型の底壁部材として保持台を用い、その成形型内に上開口を通じて液状のせっけん素地を流し込み、その上開口を上蓋にて閉じ、その上蓋付き成形型の外側にシュリンク包装を施すことを特徴とする請求項１記載の保持台付き固形せっけん。
【請求項４】
周囲側壁部材と底壁部材とを結合・分離可能な結合手段を用いて結合し、上開口を有する成形型を組み立て、その成形型の底に保持台を収容し、又は成形型の底壁部材として保持台を用い、その上開口を注入口付き上蓋にて閉じ、その成形型内に注入口を通じて液状のせっけん素地を流し込み、その注入口を閉じ又は閉じない状態のままで、上蓋付き成形型の外側にシュリンク包装を施すことを特徴とする請求項１記載の保持台付き固形せっけん。
【発明の詳細な説明】
【技術分野】
【０００１】
本発明は、使用時の把持部となり、不使用時の容器に相当する保持台付きの固形せっけんに関する。
【背景技術】
【０００２】
一般に、固形せっけんは水に濡れると滑り易くなるが、使用時には通常そのせっけんの一部を把持して用い、不使用時には底面に孔を有する水切り用のせっけん容器上に載置して用いている。それ故、固形せっけんは使用時に取り扱い難く、不使用時に容器上に置いておいても、容器内に滞留した水との接触が避けられず、せっけんが溶けてふやけ易くなる等の不都合がある。そこで、把持部と水切り容器を兼ねる軽石台を接着した固形せっけんが提示された。
【特許文献１】特開２００５−２３０５０５
【発明の開示】
【発明が解決しようとする課題】
【０００３】
しかしながら、このような軽石台を接着した固形せっけんでは、固形せっけんの一部分に、天然の軽石又はセラミックの発泡体等の人口軽石台の軽石接着面を接着する際、その軽石接着面に水分を含ませておき、その水分で固形せっけんの一部分を溶かして、軽石台と固形せっけんを一体に結合している。それ故、一度固化した固形せっけんの軽石台との接着箇所を水分によって溶かした後に、再度固めるため、固形せっけんと軽石台との結合力が小さく、使用時に固形せっけんと軽石台との接着箇所に水分が含まれて溶け易くなり、使用を続けると両者が分離し易くなる等の不具合がある。
【０００４】
本発明は、このような従来の問題点に着目してなされたものであり、固形せっけんと保持台との結合力が大きく、その結合箇所に水分が侵入し難く、保持台を把持して固形せっけんを使用し続けても両者が分離し難くて、不使用時に固形せっけんを上にし保持台を下にして置くと、固形せっけんの水切れが良くて形崩れし難い保持台付き固形せっけんを提供することを目的とする。
【課題を解決するための手段】
【０００５】
上記目的を達成するために、本発明による保持台付き固形せっけんは、固形せっけんと、その固形せっけんを載置する保持台とを一体に結合する。そして、上記保持台に、その保持台の載置面に臨む多数の開口を有する凹所又は溝を分散配設し、その保持台に液状のせっけん素地から固化して固形せっけんを固着する際、その固形せっけんの固着面を保持台の載置面に固着し、更に固形せっけんの固着面に保持台の各凹所又は溝に対応する各突起又は突条を形成して、その各突起又は突条を対応する凹所又は溝内に固着する。
【０００６】
又、本発明による上記保持台付き固形せっけんの製造方法として、周囲側壁部材と底壁部材とを結合・分離可能な結合手段を用いて結合し、上開口を有する成形型を組み立て、その成形型の底に保持台を収容し、又は成形型の底壁部材として保持台を用い、その成形型内に上開口を通じて液状のせっけん素地を流し込み、そのせっけん素地の固化後に成形型全体又は周囲側壁部材を取り除くという工程を踏むと好ましくなる。
【０００７】
又、本発明による上記保持台付き固形せっけんは、周囲側壁部材と底壁部材とを結合・分離可能な結合手段を用いて結合し、上開口を有する成形型を組み立て、その成形型の底に保持台を収容し、又成形型の底壁部材として保持台を用い、その成形型内に上開口を通じて液状のせっけん素地を流し込み、その上開口を上蓋にて閉じ、その上蓋付き成形型の外側にシュリンク包装を施すとよい。
【０００８】
又、本発明による上記保持台付き固形せっけんは、周囲側壁部材と底壁部材とを結合・分離可能な結合手段を用いて結合し、上開口を有する成形型を組み立て、その成形型の底に保持台を収容し、又成形型の底壁部材として保持台を用い、その上開口を注入口付き上蓋にて閉じ、その成形型内に注入口を通じて液状のせっけん素地を流し込み、その注入口を閉じ又は閉じない状態のままで、上蓋付き成形型の外側にシュリンク包装を施すとよい。
【発明の効果】
【０００９】
本発明の保持台付き固形せっけんは、液状のせっけん素地から固化して固形せっけんを成形する際に、その固形せっけんの固着面を保持台の載置面に固着し、更に固形せっけんの固着面に保持台の各凹所又は溝に対応する各突起又は突条を形成して、その各突起又は突条を対応する凹所又は溝内に固着することにより、固形せっけんと保持台との結合力を大きくし、その結合箇所に水分を侵入し難くできる。それ故、保持台を把持して固形せっけんを使用し続けても両者が分離し難く、不使用時に固形せっけんを上にし保持台を下にして置くと、固形せっけんの水切れが良くて形崩れし難い。
【００１０】
又、本発明の保持台付き固形せっけんの製造方法では、成形型の底に保持台を収容し、又は成形型の底壁部材として保持台を用い、その成形型内に上開口を通じて液状のせっけん素地を流し込み、そのせっけん素地の固化後に成形型全体又は周囲側壁部材を取り除くという工程を踏むことにより、保持台付き固形せっけんを簡単に製造することができる。
【００１１】
又、本発明の保持台付き固形せっけんは、成形型内に上開口を通じて液状のせっけん素地を流し込み、その上開口を上蓋にて閉じ、その上蓋付き成形型の外側にシュリンク包装を施すことにより、シュリンク包装後、製造工場等にせっけん素地が固化するまで保管する必要がなく、せっけんの熟成期間を経ることなく直ちに出荷を行うことができて好都合である。そして、出荷中の時間経過により熟成を行い、購入者が取得した後にシュリンク包装と上蓋付き成形型を取り除くことによって、保持台付き固形せっけんを簡単に手にできる。
【００１２】
又、本発明の保持台付き固形せっけんは、上開口を注入口付き上蓋にて閉じ、その成形型内に注入口を通じて液状のせっけん素地を流し込み、その注入口を閉じ又は閉じない状態のままで、上蓋付き成形型の外側にシュリンク包装を施すことにより、やはりシュリンク包装により、製造工場等にせっけんを固化するまで保管する必要がなくなり、せっけんの熟成期間を経ることなく、直ちに出荷を行うことができて好都合となる。そして、出荷中の時間経過により熟成を行い、購入者が取得した後にシュリンク包装と上蓋付き成形型を取り除くことによって、保持台付き固形せっけんを簡単に手にできる。
【発明を実施するための最良の形態】
【００１３】
以下、添付の図１〜７を参照して、本発明の実施の最良形態を説明する。
図１は本発明を適用した保持台付き固形せっけんの正面図、図２はその保持台の平面図、図３はその保持台付き固形せっけんの第１製造方法を示す縦断面図である。この保持台付き固形せっけん１は製造に際し、適切な温度例えば７０〜８０℃程の液状のせっけん素地を用いる。そして、保持台２には長方形状の木製板を用い、その固形せっけん載置用の片面３に、  多数の凹所例えばその載置面に臨む直径５〜７ｍｍ程の円形開口を有する深さ２〜３ｍｍ程の柱状穴４を８箇所、４箇所ずつ２列に並べて分散配設する。なお、保持台２の厚み、形状等を適宜変え、材料として石、プラスチック材等を使用することもできる。
【００１４】
又、液状のせっけん素地を冷却固化して固形せっけんを成形する用具として、バケット状の成形型５を用いる。このバケット状成形型５には部材として、その前後左右底壁を形成するため、例えばプラスチック製矩形板を用い、その壁部材同士の結合箇所に耐熱性低接着力を有するボンド（登録商標）等の接着剤を使用する。すると、前後左右を囲む周囲側壁部材６と底壁部材７とを結合し、上開口８を有するバケット状成形型５を組み立てることができる。なお、図３には前壁部材が表われない。
【００１５】
そこで、成形型５の底に保持台２を収容し、その成形型５の内部に上開口８を通じて液状のせっけん素地を所定量流し込む。すると、製造工場等に１ヶ月程保管して熟成期間を経ることにより、その保持台２の載置面（上面）３に、せっけん素地を冷却固化して成形した固形せっけん９を固着できる。そして、その熟成期間中に固形せっけん９の固着面が保持台２の載置面３に固着し、更に固形せっけん９の固着面に保持台２の各柱状穴４に対応する柱状突起１０を形成でき、その各柱状突起１０が対応する柱状穴４の内部に固着する。それ故、固形せっけん９と保持台２との結合力を大きくし、結合箇所に水分を侵入し難くできる。なお、液状のせっけん素地にはクリーム状等の流動性のあるせっけん素地を含める。
【００１６】
熟成期間経過後、周囲側壁部材６と底壁部材７とを分離して成形型５を取り除く。すると、成形型５から保持台付き固形せっけん１を取り出せる。それ故、このような工程を踏むことにより、固形せっけん９とその固形せっけん９を載置する保持台２とを一体に良好に結合した保持台付き固形せっけん９を簡単に製造できる。
【００１７】
使用時、保持台２を把持して固形せっけん９を使用すると、保持台２は水分を含んでも滑り難く、滑り易い固形せっけんを良好に使用することができる。そして、使用し続けても保持台２から固形せっけん９が分離し難く、不使用時に固形せっけん９を上にし保持台２を下にして置くと、固形せっけん９の水切れが良くて型崩れし難い。なお、保持台２を木製にすると、フィトンチッド等の香りの良い揮発性物質が出て、健康面に良い影響を与える。
【００１８】
図４は本発明を適用した保持台付き固形せっけんの第２製造方法を示す縦断面図である。この第２製造方法では第１製造方法と比べ、バケット状成形型１１の底壁部材に保持台２を兼用する点が異なる。しかし、バケット状成形型１１のその他の構成部分はバケット状成形型５の対応部分と同一であり、同一の保持台付き固形せっけん１を製造できる。そこで、対応部分に同一符号を記す。そして、第２製造方法によると、バケット状成形型５に用いた底壁部材７を用いる必要がないため、当然保持台付き固形せっけん１の製造工程を少なくすることができる。
【００１９】
図５は本発明を適用した保持台付き固形せっけんの第３製造方法を示す縦断面図である。この第３製造方法では第１製造方法で用いたバケット状成形型５とほぼ同一のバケット状成形型１２を用いて、同一の保持台付き固形せっけん１を製造するので、対応部分に同一符号を記して以下説明する。
【００２０】
この第３製造方法による場合にも、先ず第１製造方法と同様にして成形型１２の底に保持台２を収容し、その成形型１２の内部に上開口８を通じて液状のせっけん素地を所定量流し込む。しかし、そのままにせず、直ちにその上開口８を上蓋１３にて閉じ、更にその上蓋１３付き成形型１２の外側に全体を覆うように例えば透明なプラスチック製のシュリンク包装１４を施す。すると、シュリンク包装１４により製造工場等にせっけん素地が固化するまで保管する必要がなくなり、せっけんの熟成期間を経ることなく、直ちに出荷を行うことができて好都合となる。そして、出荷中の時間経過により、購入者が取得した時に熟成期間を経ているので、シュリンク包装１４と上蓋１３付き成形型１２を取り除くことによって、保持台付き固形せっけん１を簡単に手にできる。
【００２１】
図６は本発明を適用した保持台付き固形せっけんの第４製造方法を示す縦断面図である。この第４製造方法では第３製造方法による場合と比べ、バケット状成形型１５の底壁部材に保持台２を兼用する点が異なる。しかし、バケット状成形型１５等のその他の構成部分はバケット状成形型１２等の対応部分とほぼ同一であり、同一の保持台付き固形せっけん１を製造できる。そこで、対応部分に同一符号を記す。そして、第４製造方法によると、バケット状成形型１２に用いた底壁部材７を用いる必要がないため、当然保持台付き固形せっけん１の製造工程を少なくすることができる。
【００２２】
なお、上記実施の第１〜第４製造方法では保持台２の載置面３に、その保持台２の載置面３に臨む開口を有する柱状穴４を８箇所分散配設する場合について説明したが、保持台２の載置面３に、その載置面３に臨む開口を有する溝１６を、図７に示すように格子状に配置して８本分散配設すること等もできる。
【００２３】
上記実施の第１〜第４製造方法では周囲側壁部材６と底壁部材７（保持台２）とを結合する際、結合・分離可能な結合手段として耐熱性低接着力を有する接着剤を使用する場合について説明したが、ゴムバンド等の弾力性を有する締結部材を使用すること等もできる。
【００２４】
又、上記実施の第３、第４製造方法ではいずれも成形型１２、１５の内部に上開口８を通じて液状のせっけん素地を流し込んだ後に、その上開口８を上蓋１３にて閉じ、更にその上蓋１３付き成形型１２の外側にシュリンク包装１４を施す場合について説明したが、成形型の上開口を注入口付き上蓋にて閉じ、その成形型内に注入口を通じて液状のせっけん素地を流し込み、その注入口を閉じ又は閉じない状態のままで、上蓋付き成形型の外側にシュリンク包装を施すこともできる。すると、やはり同様の効果が得られる。
【図面の簡単な説明】
【００２５】
【図１】本発明を適用した保持台付き固形せっけんの正面図である。
【図２】同保持台付き固形せっけんに用いる保持台の平面図である。
【図３】同保持台付き固形せっけんの第１製造方法を示す縦断面図である。
【図４】本発明を適用した保持台付き固形せっけんの第２製造方法を示す縦断面図である。
【図５】本発明を適用した保持台付き固形せっけんの第３製造方法を示す縦断面図である。
【図６】本発明を適用した保持台付き固形せっけんの第４製造方法を示す縦断面図である。
【図７】同保持台付き固形せっけんに用いる保持台の他の実施形態を示す平面図である。
【符号の説明】
【００２６】
１…保持台付き固形せっけん  ２…保持台  ３…載置面  ４…柱状穴  ５、１１、１２、１５…バケット状成形型  ６…周囲側壁部材  ７…底壁部材  ８…上開口  ９…固形せっけん  １０…柱状突起  １３…上蓋  １４…シュリンク包装  １６…溝
【図１】
2007289530.tif 000003
【図２】
2007289530.tif 000004
【図３】
2007289530.tif 000005
【図４】
2007289530.tif 000006
【図５】
2007289530.tif 000007
【図６】
2007289530.tif 000008
【図７】
2007289530.tif 000009